(57)【要約】【課題】アンテナと基板との電気的な接続及び切断を容易に行うことができるアンテナ装置を提供する。【解決手段】通信機能を有するアンテナ２０と、その通信に応じた通信処理を行う基板１３とを備えたアンテナ装置１において、基板１３を内部に収納する筐体本体１１と、アンテナ２０を内部に収納する筐体カバー１２と、アンテナ２０におけるループアンテナ部２１の両端に形成され、押し付け面２３ａ，２３ｂを基板１３の端子に押し付ける板ばね部２２ａ，２２ｂとを備える。【選択図】図１
2019125999.tif 000002
【特許請求の範囲】
【請求項１】
通信機能を有するアンテナと、前記アンテナによる通信に応じた通信処理を行う基板とを備えたアンテナ装置において、
前記アンテナを内部に収納する第１筐体と、
前記基板を内部に収納する第２筐体と、
前記アンテナにおける導線が周回したループアンテナ部の両端に形成され、先端面を前記基板の端子に押し付けるばね部とを備える
ことを特徴とするアンテナ装置。
【請求項２】
前記ばね部は、前記基板に向かうに従って、互いに遠ざかるように延びる
ことを特徴とする請求項１記載のアンテナ装置。
【請求項３】
前記第１筐体に設けられ、前記ループアンテナ部を、前記第１筐体と前記第２筐体との突き合わせ方向、及び、その突き合わせ方向に対して垂直となる垂直方向において位置決めする第１位置決め部を備える
ことを特徴とする請求項１または請求項２記載のアンテナ装置。
【請求項４】
前記第２筐体に設けられ、前記基板を、前記第１筐体と前記第２筐体との突き合わせ方向、及び、その突き合わせ方向に対して垂直となる垂直方向において位置決めする第２位置決め部を備える
ことを特徴とする請求項１から請求項３のうちのいずれか１項記載のアンテナ装置。
【発明の詳細な説明】
【技術分野】
【０００１】
この発明は、アンテナ及び基板を内蔵したアンテナ装置に関する。
【背景技術】
【０００２】
アンテナ装置は、通信機能を有するアンテナと、その通信に応じた通信処理を行う基板とを備えており、アンテナと基板とを電気的に接続させた構成となっている。そして、このような、従来のアンテナ装置としては、例えば、特許文献１に開示されている。
【先行技術文献】
【特許文献】
【０００３】
【特許文献１】特開２０１５−１９５５７７号公報
【発明の概要】
【発明が解決しようとする課題】
【０００４】
アンテナと基板との電気的接続には、はんだ付け及びコネクタ等が多く用いられている。しかしながら、アンテナ装置の中でも、アンテナ及び基板を内蔵したアンテナ装置においては、アンテナと基板とをリード線によって繋ぐため、当該リード線をアンテナ及び基板にはんだ付けする必要があり、それらの間における電気的な接続作業及び切断作業が煩雑になるおそれがある。特に、小型化が図られたアンテナ装置においては、リード線の線径を小径とすると共に、リード線の長さを短くする必要があるため、その問題が顕著となる。
【０００５】
この発明は、上記課題を解決するものであって、アンテナと基板との電気的な接続及び切断を容易に行うことができるアンテナ装置を提供することを目的とする。
【課題を解決するための手段】
【０００６】
この発明に係るアンテナ装置は、通信機能を有するアンテナと、アンテナによる通信に応じた通信処理を行う基板とを備えたアンテナ装置において、アンテナを内部に収納する第１筐体と、基板を内部に収納する第２筐体と、アンテナにおける導線が周回したループアンテナ部の両端に形成され、先端面を基板の端子に押し付けるばね部とを備えるものである。
【発明の効果】
【０００７】
この発明によれば、アンテナと基板との電気的な接続及び切断を容易に行うことができる。
【図面の簡単な説明】
【０００８】
【図１】この発明の実施の形態１に係るアンテナ装置における接続状態での構成を示した断面図である。
【図２】この発明の実施の形態１に係るアンテナ装置における切断状態での構成を示した断面図である。
【図３】アンテナの構成を示した図である。図３Ａはアンテナの平面図である。図３Ｂはアンテナの側面図である。
【発明を実施するための形態】
【０００９】
以下、この発明の実施の形態について図面を参照しながら詳細に説明する。
【００１０】
実施の形態１．
図１は、実施の形態１に係るアンテナ装置１における接続状態での構成を示した断面図である。図２は、そのアンテナ装置１における切断状態での構成を示した断面図である。つまり、図１に示したアンテナ装置１は、通常の使用状態であって、図２に示したアンテナ装置１は、保守、設定等を行う際に、筐体同士が突き離された状態である。
【００１１】
図１及び図２に示すように、アンテナ装置１は、筐体本体１１、筐体カバー１２、基板１３、及び、アンテナ２０を備えている。なお、筐体カバー１２は第１筐体を構成し、筐体本体１１は第２筐体を構成している。
【００１２】
アンテナ２０は、通信機能を有している。これに対して、基板１３は、そのアンテナ２０の通信に応じた通信処理を行うものである。
【００１３】
筐体本体１１と筐体カバー１２とは、ボルト及びリベット等の締結手段によって組み合わされており、それらの開口端面同士は、突き合わされている。基板１３は、筐体本体１１の内部に収納されており、アンテナ２０は筐体カバー１２の内部に収納されている。
【００１４】
筐体本体１１は、その内部に位置決め突部１１ａを有している。位置決め突部１１ａは、筐体本体１１における対向する内壁面にそれぞれ設けられており、その内壁面から筐体本体１１の内側に向けて突出している。各位置決め突部１１ａの本体深さ位置は、同じ深さ位置となっている。これにより、位置決め突部１１ａは、筐体本体１１に対して、基板１３を、筐体本体１１の開口端面と筐体カバー１２の開口端面との突き合わせ方向、及び、その突き合わせ方向に対して垂直となる垂直方向において、位置決めすることができる。
【００１５】
基板１３は、位置決め突部１１ａに対して、筐体本体１１の開口部側から覆い被さるように設置されている。つまり、基板１３は、位置決め突部１１ａに固定されることにより、筐体本体１１の深さ方向、即ち、筐体本体１１の開口端面と筐体カバー１２の開口端面との突き合わせ方向、及び、その突き合わせ方向に対して垂直となる垂直方向において、位置決めされる。なお、位置決め突部１１ａは、第２位置決め部を構成している。
【００１６】
但し、本実施の形態１に係るアンテナ装置１においては、第２位置決め部を位置決め突部１１ａとしているが、第２位置決め部は、筐体本体１１に対して、基板１３を突き合わせ方向及び垂直方向において位置決めすることができるのであれば、どのような形状であっても構わない。
【００１７】
また、基板１３は、端子１３ａ，１３ｂを備えている。これらの端子１３ａ，１３ｂは、基板１３における筐体本体１１の開口部と対向する面に設けられている。
【００１８】
一方、筐体カバー１２は、その内部に位置決め溝１２ａを有している。位置決め溝１２ａは、筐体カバー１２の底面に凹状に形成されている。位置決め溝１２ａの形状は、アンテナ２０の形状と同じ、矩形をなしており、当該位置決め溝１２ａ内には、アンテナ２０が嵌合可能となっている。これにより、位置決め溝１２ａは、筐体カバー１２に対して、アンテナ２０を、筐体本体１１の開口端面と筐体カバー１２の開口端面との突き合わせ方向、及び、その突き合わせ方向に対して垂直となる垂直方向において、位置決めすることができる。
【００１９】
つまり、アンテナ２０は、位置決め溝１２ａ内に嵌め込まれることにより、筐体カバー１２の深さ方向、即ち、上記突き合わせ方向において位置決めされる。なお、位置決め溝１２ａは、第１位置決め部を構成している。
【００２０】
但し、本実施に形態１に係るアンテナ装置１においては、第１位置決め部材を位置決め溝１２ａとしているが、第１位置決め部は、筐体カバー１２に対して、アンテナ２０を突き合わせ方向及び垂直方向において位置決めすることができるのであれば、どのような形状であっても構わない。
【００２１】
図３Ａ及び図３Ｂは、アンテナ２０の構成を示した図である。図１から図３Ａ及び図３Ｂに示すように、アンテナ２０は、全体として、薄板状をなす１本の導線によって形成されている。この導線の材質は、高い導電性を有するばね材となっている。また、アンテナ２０は、ループアンテナ部２１、板ばね部２２ａ，２２ｂ、及び、押し付け面２３ａ，２３ｂを備えており、それら全ての部位は、一体形成されている。
【００２２】
ループアンテナ部２１は、薄板状の導線を矩形のループ状に周回させた構成となっている。これにより、ループアンテナ部２１の一端は、当該ループアンテナ部２１の内側に配置される一方、ループアンテナ部２１の他端は、当該ループアンテナ部２１の外側に配置されている。また、ループアンテナ部２１は、アンテナ２０の部位の中でも、筐体カバー１２の位置決め溝１２ａに接する部位となっている。
【００２３】
板ばね部２２ａ，２２ｂは、ループアンテナ部２１の両端にそれぞれ形成されている。板ばね部２２ａは、ループアンテナ部２１の一端から、筐体カバー１２の開口部を外側に向けて通り抜けるように延びている。板ばね部２２ｂは、ループアンテナ部２１の他端から、筐体カバー１２の開口部を外側に向けて通り抜けるように延びている。このとき、板ばね部２２ａ，２２ｂは、基端から先端に向かうに従って、互いに遠ざかるように延びている。
【００２４】
押し付け面２３ａ，２３ｂは、板ばね部２２ａ，２２ｂの先端面を構成しており、基板１３の表面に設けられた端子１３ａ，１３ｂと、それぞれ対応している。つまり、板ばね部２２ａ，２２ｂは、先端面となる押し付け面２３ａ，２３ｂに、その基端を回転中心としたばね力を、端子１３ａ，１３ｂに向けて作用させることにより、当該端子１３ａ，１３ｂに接触力を付与する。
【００２５】
従って、板ばね部２２ａ，２２ｂは、筐体本体１１の開口端面と筐体カバー１２の開口端面とが突き合わされた際に、押し付け面２３ａ，２３ｂと、基板１３の端子１３ａ，１３ｂとを、電気的に接続した状態とする。一方、板ばね部２２ａ，２２ｂは、筐体本体１１の開口端面と筐体カバー１２の開口端面とが突き離された際に、押し付け面２３ａ，２３ｂを、基板１３の端子１３ａ，１３ｂから分離させ、それらを電気的に切断した状態とする。
【００２６】
但し、ループアンテナ部２１は、矩形形状をなしているが、その形状は、周回した導線の両端に板ばね部２２ａ，２２ｂを設けた構成であれば、円形及び楕円形等の他の形状であっても構わない。
【００２７】
また、ループアンテナ部２１の幅寸法と、板ばね部２２ａ，２２ｂの幅寸法とは、同じ寸法幅でなくても良い。例えば、ばね力を大きくしたい場合には、板ばね部２２ａ，２２ｂの幅寸法を、ループアンテナ部２１の幅寸法よりも幅広としても構わない。更に、板ばね部２２ａ，２２ｂと端子１３ａ，１３ｂとの位置合わせ精度を高めたい場合には、板ばね部２２ａ，２２ｂの中でも、押し付け面２３ａ，２３ｂの幅寸法のみを他の部位の幅寸法よりも幅広としても構わない。
【００２８】
以上より、実施の形態１に係るアンテナ装置１によれば、筐体本体１１の位置決め突部１１ａに固定した基板１３と、筐体カバー１２の位置決め溝１２ａ内に固定したアンテナ２０とを、筐体本体１１の開口端面と筐体カバー１２と開口端面との間における突き合わせ及び突き離しによって、それらの電気的な接続及び切断を容易に行うことができる。
【００２９】
なお、本願発明は、その発明の範囲内において、実施の形態の任意の構成要素の変形、もしくは、実施の形態の任意の構成要素の省略が可能である。
【符号の説明】
【００３０】
１    アンテナ装置
１１    筐体本体
１１ａ  位置決め突部
１２    筐体カバー
１２ａ  位置決め溝
１３    基板
１３ａ，１３ｂ    端子
２０    アンテナ
２１    ループアンテナ部
２２ａ，２２ｂ    板ばね部
２３ａ，２３ｂ    押し付け面
【図１】
2019125999.tif 000003
【図２】
2019125999.tif 000004
【図３】
2019125999.tif 000005